(57)【要約】【課題】防犯機能が起動された際に、この防犯機能の起動を隠蔽しつつ、定期的に録音処理や撮像処理を行って、逐次最新の録音データや画像データを送信することができる携帯電話機を提供する。【解決手段】防犯モードに設定する防犯モード設定手段と、前記防犯モード設定手段により防犯モードに設定された際に、所定時間毎に周囲の音を録音する録音手段（Ｓ２０５）と、前記録音手段により録音された録音データを未送信ステータスとして記憶する記憶手段（Ｓ２０７）と、前記記憶手段により記憶された未送信ステータスの録音データを所定時間毎に送信する送信手段（Ｓ２３３）と、前記送信手段により送信された録音データを、未送信ステータスから送信済ステータスに切り替える切り替え手段（Ｓ２３７）と、を備えた。【選択図】  図７
2008172446.tif 000002
【特許請求の範囲】
【請求項１】
防犯モードに設定する防犯モード設定手段と、
前記防犯モード設定手段により防犯モードに設定された際に、所定時間毎に周囲の音を録音する録音手段と、
前記録音手段により録音された録音データを所定時間毎に送信する送信手段と
を備えたことを特徴とする携帯電話機。
【請求項２】
防犯モードに設定する防犯モード設定手段と、
前記防犯モード設定手段により防犯モードに設定された際に、所定時間毎に周囲の音を録音する録音手段と、
前記録音手段により録音された録音データを未送信ステータスとして記憶する記憶手段と、
前記記憶手段により記憶された未送信ステータスの録音データを所定時間毎に送信する送信手段と、
前記送信手段により送信された録音データを、未送信ステータスから送信済ステータスに切り替える切り替え手段と、
を備えたことを特徴とする携帯電話機。
【請求項３】
防犯モードに設定する防犯モード設定手段と、
前記防犯モード設定手段により防犯モードに設定された際に、所定時間毎に画像を撮影する撮影手段と、
前記撮影手段により撮影された画像データを所定時間毎に送信する送信手段と
を備えたことを特徴とする携帯電話機。
【請求項４】
防犯モードに設定する防犯モード設定手段と、
前記防犯モード設定手段により防犯モードに設定された際に、所定時間毎に画像を撮影する撮像手段と、
前記撮像手段により撮影された画像データを未送信ステータスとして記憶する記憶手段と、
前記記憶手段により記憶された未送信ステータスの画像データを所定時間毎に送信する送信手段と、
前記送信手段により送信された画像データを、未送信ステータスから送信済ステータスに切り替える切り替え手段と、
を備えたことを特徴とする携帯電話機。
【請求項５】
前記防犯モード設定手段により防犯モードに設定された際に、通話圏外において音声通話処理が指示されると、前記録音手段が周囲の音を録音して、記憶手段がこの録音手段により録音された録音データを未送信ステータスとして記憶する請求項１または２に記載の携帯電話機。
【請求項６】
前記防犯モード設定手段により防犯モードに設定された際に、通話圏外において音声通話処理が指示されると、前記撮像手段が画像を撮影して、記憶手段がこの撮像手段により撮像された画像データを未送信ステータスとして記憶する請求項３または４に記載の携帯電話機。
【請求項７】
前記所定時間を、電池残量に基づいて設定する所定時間設定手段を備えた請求項１乃至４のうち１つに記載の携帯電話機。
【発明の詳細な説明】
【技術分野】
【０００１】
本発明は、緊急時において、所定時間毎に録音処理や撮像処理を行うとともに、所定時間毎にこの録音データや画像データを送信する携帯電話機に関する。
【背景技術】
【０００２】
近年、携帯電話機が急速に普及し、ユーザが携帯電話機を常時携帯するようになったのに伴い、携帯電話機は、音声通話やメールの送受信を行うために利用されるのみでなく、緊急時に簡単な操作で親や警察署等へ危険を知らせる防犯グッズとしても利用されるようになった。
【０００３】
例えば、緊急時に位置データを取得するとともに録音処理を行い、これらの位置データと録音データとを関連付けて記憶するとともに、これらの位置データと録音データとをユーザの指示に基づいて遠隔地の記憶装置に送信する携帯端末が提案されている（特許文献１参照）。
【特許文献１】特開２００３−２４９９８１号公報
【発明の開示】
【発明が解決しようとする課題】
【０００４】
この携帯端末で緊急時に録音された録音データを送信する際に、ユーザの指示に基づいて録音データを送信するため、ユーザが指示を行えない状況であった場合には録音データの送信が行われない上に、変化する状況の中で常に最新のデータが送信されていることが保障されていない。
【０００５】
また、緊急時においては、防犯機能が起動していることを隠蔽したい状況が起こり得るので、この防犯機能の起動が外部から隠蔽されることが望ましい。
【０００６】
本発明は、上記課題を鑑みなされたものであり、防犯機能が起動された際に、この防犯機能の起動を隠蔽しつつ、定期的に録音処理や撮像処理を行って、逐次最新の録音データや画像データを送信することができる携帯電話機を提供することを目的とする。
【課題を解決するための手段】
【０００７】
上記課題を解決するために、本発明に係る携帯電話機は、防犯モードに設定する防犯モード設定手段と、前記防犯モード設定手段により防犯モードに設定された際に、所定時間毎に周囲の音を録音する録音手段と、前記録音手段により録音された録音データを所定時間毎に送信する送信手段とを備えたことを特徴とする。
【発明の効果】
【０００８】
本発明によると、防犯機能が起動された際に、この防犯機能の起動を隠蔽しつつ、定期的に録音処理や撮像処理を行って、逐次最新の録音データや画像データを送信することができる携帯電話機を提供することが可能となる。
【発明を実施するための最良の形態】
【０００９】
本発明に係る携帯電話機の実施形態について、添付図面を参照しながら説明する。
【００１０】
図１に、本発明に係る携帯電話機１が適用されるネットワークシステム２の構成図を示す。
【００１１】
このネットワークシステム２には、通信サービスの提供エリアを所望の大きさに分割したセル内にそれぞれ固定無線局である基地局３が設置されている。この基地局３は、移動無線局である複数の携帯電話機１（例えば携帯電話機１Ａ、１Ｂ）が例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式と呼ばれる符号分割多元接続方式によって無線接続されており、例えば２ＧＨｚ周波数帯の５ＭＨｚ帯域を利用して、静止時には２Ｍｂｐｓ、移動時は３８４ｋｂｐｓのデータ転送速度で大容量の高速データ通信を行うことができる。
【００１２】
携帯電話機１は、Ｗ−ＣＤＭＡ方式によって大容量データの高速データ通信を行うことにより、音声通話だけでなく電子メールや電子ファイルの送受信、簡易ホームページの閲覧、画像の送受信等の多種に及ぶデータ通信が可能である。
【００１３】
また、基地局３は、有線回線を介して公衆回線網４に接続されており、公衆回線網４には、インターネットサービスプロバイダのアクセスサーバ５が接続されている。アクセスサーバ５には、ネットワーク６（例えば、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、その他の各種のネットワークを含む）を介して、サーバとして使用されている一般的なＰＣ等の情報処理装置７が接続されている。
【００１４】
さらに、このネットワーク６には無線ＬＡＮネットワーク８が接続されており、携帯電話機１は、無線ＬＡＮネットワーク８のアクセスポイント９を介して大容量通信を行うことができる。
【００１５】
図２及び図３に、携帯電話機１の一例として説明に用いている折り畳み型の携帯電話機の外観図を示す。図２［Ａ］は、携帯電話機１の約１８０度に見開いた状態の正面図であり、図２［Ｂ］は、携帯電話機１の見開いた状態の側面図である。また、図３［Ａ］は、携帯電話機１の折り畳んだ状態の正面図であり、図３［Ｂ］は、携帯電話機１の折り畳んだ状態の側面図である。
【００１６】
図２及び図３に示すように、携帯電話機１は、中央のヒンジ部２１を挟むように第１の筐体２２と第２の筐体２３とがヒンジ結合されており、ヒンジ部２１を介して図２のＸ方向に折り畳み可能に形成される。携帯電話機１の内部の所定の位置には、送受信用のアンテナ（後述する図４のアンテナ５７）が設けられており、内蔵されたアンテナ５７を介して基地局（図示せず）との間で電波を送受信する。
【００１７】
第１の筐体２２の中央部には、メインディスプレイ２５が設けられている。このメインディスプレイ２５には、例えば、現在のアンテナ５７の感度のレベルを示すアンテナピクト、携帯電話機１の現在の電池残量を示す電池ピクト、現在の時刻等が表示される。
【００１８】
また、メインディスプレイ２５の上部の所定の位置にはスピーカ２８が設けられており、これにより、ユーザが音声を聞くことが可能となる。
【００１９】
第１の筐体２２には、その表面に「０」から「９」までの数字キー、発呼キー（通話ボタン）、リダイヤルキー、終話・電源キー、クリアキー、及び電子メールキー等の操作キー２４が設けられており、ユーザは操作キー２４を用いて各種指示を入力することができる。
【００２０】
第１の筐体２２には、操作キー２４として上部に十字キーと確定キーが設けられており、ユーザが十字キーを上下左右方向に操作することにより当てられたカーソルを上下左右方向に移動させることができる。具体的には、第２の筐体２３に設けられたメインディスプレイ２５に表示されている電話帳リストや電子メールのスクロール動作、簡易ホームページのページ捲り動作および画像の送り動作などの種々の動作を実行する。
【００２１】
また、確定キーを押下することにより、種々の機能を確定することができる。例えば第１の筐体２２は、ユーザによる十字キーの操作に応じてメインディスプレイ２５に表示された電話帳リストの複数の電話番号の中から所望の電話番号が選択され、確定キーが第１の筐体２２の内部方向に押圧されると、選択された電話番号を確定して電話番号に対して発呼処理を行う。
【００２２】
さらに、第１の筐体２２には、十字キーと確定キーの左隣に電子メールキーが設けられており、電子メールキーが第１の筐体２２の内部方向に押圧されると、メールの送受信機能を呼び出すことができる。十字キーと確定キーの右隣には、ブラウザキーが設けられており、ブラウザキーが第１の筐体２２の内部方向に押圧されると、Ｗｅｂページのデータを閲覧することが可能となる。なお、十字キーと確定キーの左右隣に設けられた電子メールキーおよびブラウザキーは、メインディスプレイ２５に表示される画面により例えば「Ｙｅｓ」や「Ｎｏ」等の種々の機能をもつことが可能であるため、それぞれ、ソフト１キー及びソフト２キーと呼ばれる。
【００２３】
また、第１の筐体２２には、操作キー２４の下部にマイクロフォン２６が設けられており、マイクロフォン２６によって通話時のユーザの音声を集音する。また、第１の筐体２２には、携帯電話機１の操作を行うサイドキー２７が設けられている。
【００２４】
なお、第１の筐体２２は、背面側に図示しないバッテリパックが挿着されており、終話・電源キーがオン状態になると、バッテリパックから各回路部に対して電力が供給されて動作可能な状態に起動する。
【００２５】
ところで、第１の筐体２２には、第１の筐体２２の下部の所定の位置に抜差自在なメモリカードを挿着するためのメモリカードスロット（図示せず）が設けられており、メモボタン（図示せず）が押下されるとメモリカード５８に通話中の相手の音声を記録したり、ユーザの操作に応じて電子メール、簡易ホームページ、後述するメインカメラ３０やサブカメラ３０ａ等のＣＣＤカメラで撮像した画像を記録したりすることができる。
【００２６】
ここで、メモリカード５８は、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。携帯電話機１は、このようなメモリカードを挿着可能に構成されているために、メモリカード５８を介して他の電子機器との間でデータの共有化を図ることができる。
【００２７】
また、第１の筐体２２と第２の筐体２３の内部の所定の位置には、携帯電話機１の開閉状態を検知するための磁気センサ２９ａ、２９ｂ、２９ｃ、２９ｄが設けられている。
【００２８】
第１の筐体２２及び第２の筐体２３には、それぞれＣＣＤカメラであるメインカメラ３０及びサブカメラ３０ａが設けられており、これらにより、ユーザが所望の撮影対象を撮像することが可能となる。
【００２９】
メインカメラ３０の下部には、サブディスプレイ３１が設けられており、現在のアンテナ５７の感度のレベルを示すアンテナピクト、携帯電話機１の現在の電池残量を示す電池ピクト、現在の時刻などが表示される。
【００３０】
また、第１の筐体２２のヒンジ部付近に、防犯キー３３が着脱自在に装着される防犯キーガイド部３３ａが設けられている。例えば、防犯キーガイド部３３ａが第１の筐体２２の側面において凹状に形成され、防犯キー３３が、この凹状の防犯キーガイド部３３ａの形状に合致するように凸状に形成されている。また、防犯キー３３には、ユーザが防犯キーガイド部３３ａに対して着脱するための取っ手の役割を果たすストラップ３３ｂが設けられている。
【００３１】
図４は、携帯電話機１の機能構成図である。携帯電話機１は、図４に示すように、主制御部４１、記憶部４２、電源回路部４３、操作入力制御４４、ＬＣＤ制御部４５、カメラインターフェース４６、画像エンコーダ４７、音声コーディック４８、変復調回路部４９、多重化分離部５０、画像デコーダ５１、無線ＬＡＮモジュール５２、記録再生部５３、防犯制御部５４、第２記憶部５５がバスＢによって相互に接続されて構成される。
【００３２】
主制御部４１は、様々なデータ処理や演算を行うＣＰＵ（Ｃｅｎｔｒａｌ  Ｐｒｏｃｅｓｓｉｎｇ  Ｕｎｉｔ）からなる。記憶部４２は、主制御部４１が行う処理プログラム等を格納するＲＯＭ（Ｒｅａｄ  Ｏｎｌｙ  Ｍｅｍｏｒｙ）やハードディスク等の磁気的な記憶装置、主制御部４１が処理を行う際に使用するデータを一時的に記憶するＲＡＭ（Ｒａｎｄｏｍ  Ａｃｃｅｓｓ  Ｍｅｍｏｒｙ）等の電気的な記憶装置とからなる。また、主制御部４１には、現在の日付と時刻を計測するタイマが内蔵されている。
【００３３】
電源回路部４３は、ユーザの操作キー２４による入力により電源のオン／オフ状態を切り替え、電源がオン状態の場合には電源（バッテリパック等）から各部に対して電力を供給して、携帯電話機１を動作可能にする。
【００３４】
操作入力制御部４４は、操作キー２４によって入力されたデータを主制御部４１に伝送する。
【００３５】
ＬＣＤ制御部４５は、主制御部４１の制御に基づいて、画像データをメインディスプレイ２５またはサブディスプレイ３１に表示する処理を行う。
【００３６】
カメラインターフェース４６は、メインカメラ３０またはサブカメラ３０ａで撮影した画像信号をＬＣＤ制御部４５を介してメインディスプレイ２５またはサブディスプレイ３１に表示する。
【００３７】
画像エンコーダ４７は、主制御部４１の制御に基づいて、メインカメラ３０またはサブカメラ３０ａが入力した画像信号を、例えばＭＰＥＧ−４（Ｍｏｖｉｎｇ  Ｐｉｃｔｕｒｅ  Ｅｘｐｅｒｔｓ  Ｇｒｏｕｐ−４）等の所定の符号化方式によって圧縮符号化して画像データを作成したり、符号化された画像データを他の符号化方式に変換して新たな画像データを作成したりする。メインカメラ３０またはサブカメラ３０ａが入力した画像信号からこの画像データを作成する処理のうちの、静止画像を撮影する処理を静止画像撮影処理であり、動画像を撮影する処理が動画像撮影処理である。
【００３８】
音声コーディック４８は、主制御部４１の制御に基づいて、マイクロフォン２６で集音した音声からディジタル音声信号を生成する。変復調回路部４９は、音声通話の際に、音声コーディック４８からディジタル音声信号を入力して、送受信回路部５６に伝送する。送受信回路部５６はこのディジタル音声信号をアンテナ５７を介して送信する。
【００３９】
また、変復調回路部４９は、送受信回路部４６がアンテナ５７を介して受信したディジタル音声信号を入力する。音声コーディック４８は、音声通話の際に、このディジタル音声信号を取得してアナログ音声信号に変換し、スピーカ２８から音声として出力する。
【００４０】
音声コーディック４８が、マイクロフォン２６で集音した音声から生成したディジタル信号を記憶部４２または第２記憶部５５に記憶する処理が、録音処理である。
【００４１】
多重化分離部５０は、複数の信号を重ねて多重化信号を生成する多重化処理、及び、多重化信号を複数の信号に分離する分離処理を行う。
【００４２】
例えば、多重化分離部５０は、変復調回路部４９から入力した多重化動画像信号を、符号化画像信号と音声信号とに分け、メインバスＢを介して符号化画像信号を画像デコーダ５１に伝送するとともに、音声信号を音声コーディックに伝送する。
【００４３】
また、多重化分離部５０は、画像エンコーダ４７から入力した画像信号と音声コーディックから入力した音声信号とを所定の方式で多重化し、その結果得られる多重化信号を、変復調回路部４９に伝送する。
【００４４】
画像デコーダ５１は、送受信回路部５６から符号化画像信号を入力し、この符号化画像信号を所定の符号化方式に対応した復号化方式で復号することにより再生動画像信号を生成し、生成された再生動画像信号をＬＣＤ制御部４５に伝送する。ＬＣＤ制御部４５は、この生成動画信号をメインディスプレイ２５またはサブディスプレイ３１に表示する。
【００４５】
無線ＬＡＮモジュール５２は、内蔵されたアンテナ（図示せず）を介して、ＩＥＥＥ８０２．１１ａ／ｂ／ｇ等の所定の規格に準拠した無線ＬＡＮ通信を行う。
【００４６】
記録再生部５３は、メモリカード５８等の外部メモリに対するインタフェースを備え、このメモリカード５８等に対して書き込み処理や読み込み処理を行う。
【００４７】
防犯制御部５４は、防犯キー３３の防犯キーガイド部３３ａに対する着脱を検知し、防犯キー３３が防犯キーガイド部３３ａから外された（抜かれた）場合に、主制御部４１に防犯処理を開始させるための信号を送信する。この信号を受信した主制御部４１は、防犯機能を起動させる。
【００４８】
また、一旦抜かれた防犯キー３３が再び防犯キーガイド部３３ａに装着された際に、主制御部４１に対して防犯機能を終了させるための信号を送信する。主制御部４１は、この信号を受信すると、ユーザに特定の処理を行うよう指示を出し、この特定の処理が行われた場合に、防犯機能を終了させる。なお、特定の処理は、操作キー２４を介したパスワードの入力処理や、所定のアプリケーションプログラムを実行するＰＣ（Ｐｅｒｓｏｎａｌ  Ｃｏｍｐｕｔｅｒ）等の外部装置からの遠隔処理等である。
【００４９】
第２記憶部５５は、ＲＯＭやハードディスク等の記憶装置であり、記憶部４３とは別個に設けられたものである（なお、記憶部４３と第２記憶部５５とは同じ記憶装置に設けるようにしてもよい）。第２記憶部５５は、記憶部４３とは異なり、自身の存在が外部から隠蔽されている。よって、第２記憶部５５内に記憶されたデータは、操作キー２４による操作ではアクセス不可能であり、所定のアプリケーションプログラムを実行するＰＣ等の外部装置によってのみ、アクセス可能となる。携帯電話機１にて防犯機能が起動している際には、録音データや画像データがこの第２記憶部５５に記憶され、これらの第２記憶部５５に記憶されたデータは外部から完全に隠蔽される。
【００５０】
主制御部４１は、電子メール等のデータを送信する場合、操作キー２４の操作によって入力された電子メールのテキストデータを操作入力制御部４４を介して主制御部４１に創出する。主制御部４１は、テキストデータを変復調回路部４９でスペクトラム拡散処理し、送受信回路部５６でディジタルアナログ変換処理及び周波数変換処理を施した後にアンテナ５７を介して送信する。これがメール送信処理である。
【００５１】
また、主制御部４１は、電子メール等のデータを受信する場合、アンテナ５７を介して受信した受信信号を変復調回路部４９でスペクトラム逆拡散処理して元のテキストデータを復元した後、ＬＣＤ制御部４５を介してメインディスプレイ２５またはサブディスプレイ３１にこのテキストデータを受信メールとして表示する。その後、主制御部４１は、ユーザの操作に応じて受信メールを記憶部４２または記録再生部５４を介してメモリカード５８に記録する。
【００５２】
さらに、携帯電話機１は、防犯機能を備えており、定期的に周囲の音を録音する録音処理やメインカメラ３０またはサブカメラ３０ａが向いている方向に対して撮像処理を行うとともに、これらの録音データや画像データを予め設定された送信先に定期的に送信する防犯処理を行う。主制御部４１は、防犯キー３３が防犯キーガイド部３３ａから抜かれた場合に、この防犯機能を起動させる。以下、これらの録音データや画像データ等の防犯処理により得られたデータを防犯データと呼ぶ。
【００５３】
なお、主制御部４１が防犯処理を実行するための防犯処理プログラム等の種々の処理プログラムは、記憶部４２に予め記憶されている。また、これらの処理プログラムは、送受信回路部４６を介して受信することにより、記憶部４２にインストールされても良い。さらに、これらの処理プログラムは、メモリカード５８に記録されていたものを、記録再生部５４によって読み出されて記憶部４２にインストールされても良い。
【００５４】
携帯電話機１の記憶部４２には、図４に示すような防犯情報７０が記憶されている。防犯情報７０は、緊急時の音声通話の送信先の電話番号を示す音声通話送信先情報７１と、緊急時のメールの送信先のメールアドレスを示すメール送信先情報７２と、複数のカメラのうちの緊急時に使用するカメラを示すカメラ設定情報７３と、緊急時に緊急録音処理を行うか否かを示す録音機能設定情報７４と、緊急時に静止画像撮影処理を行うか否かを示す静止画像撮影機能設定情報７５と、緊急時に動画像撮影処理を行うか否かを示す動画像撮影機能設定情報７６と、緊急時に音声通話処理を行うか否かを示す音声通話機能設定情報７７と、緊急時に自動撮影処理を行うか否かを示す自動撮影機能設定情報７８と、自動撮影処理を行う場合の撮影モードを示す自動撮影モード情報７９とを含んでいる。携帯電話機１は、この防犯情報７０として予め記憶されている各設定情報に基づいて、防犯処理を行う。なお、例えば、それぞれ各処理を行う場合は「Ｏｎ」、行わない場合は「Ｏｆｆ」で表されている。
【００５５】
自動撮影モードとは、携帯電話機１が自動撮影処理を行う際の撮影モードであり、本実施形態では、静止画像連写撮影、動画像撮影の撮影モードが設定できる。
【００５６】
自動撮影機能とは、携帯電話機１において防犯キー３３が抜かれて防犯モードに設定された際に、自動的に静止画像または動画像の撮影処理を行う機能である。例えば犯罪に巻き込まれた時等の緊急時において、ユーザが静止画像または動画像の撮影を行おうと思っても、ユーザが慌てて操作を誤ったり、または撮影処理に至るまでのタイムロスが大きすぎたりして、希望通りの撮影処理を行うことができない可能性が高い。
【００５７】
これを考慮して、携帯電話機１は、自動撮影機能として、防犯キー３３が抜かれると同時に撮影処理を開始する自動撮影処理を行う機能を備えている。この自動撮影機能では、防犯情報７０の自動撮影機能設定情報７８が「Ｏｎ」になっている際に、自動撮影モード情報７９として設定されている自動撮影モードにより撮影処理が行われる。
【００５８】
なお、緊急時に録音処理により録音された録音データや、緊急時に静止画像撮影処理、動画像撮影処理、及び自動撮影処理により撮影された画像データは、それぞれステータスと対応付けられて第２記憶部５５に記憶される。このステータスは、防犯データ送信処理により既に送信されたデータであることを示す送信済ステータスと、未だ送信されていないデータであることを示す未送信ステータスと、の２通りで表される。
【００５９】
ここで、携帯電話機１において防犯キー３３が抜かれて防犯機能が起動した際に、携帯電話機１が防犯処理を行う手順を、図５から図８までに示すフローチャートに基づいて説明する。なお、例えば「ステップＳ１０１」を「Ｓ１０１」のように、「ステップ」を省略して説明する。
【００６０】
まず、携帯電話機１の主制御部４１は、ユーザにより防犯キー３３が抜かれたか否かを判断する（Ｓ１０１）。防犯キー３３が抜かれていない場合（Ｓ１０１のＮｏ）は、主制御部４１はそのまま待機する。
【００６１】
防犯キー３３が抜かれた場合（Ｓ１０１のＹｅｓ）は、主制御部４１は、通常モードから防犯モードに切り替えることにより、防犯モードに設定する（Ｓ１０３）。
【００６２】
主制御部４１は、自動撮影機能設定情報７８が「Ｏｎ」に設定されているか否かを判断する（Ｓ１０５）。主制御部４１は、自動撮影機能設定情報７８が「Ｏｎ」に設定されている場合（Ｓ１０５のＹｅｓ）は、自動撮影処理を行う。この際、主制御部４１は、防犯情報７０の自動撮影モード情報７９が静止画像モードであるか否かを判断する（Ｓ１０７）。
【００６３】
自動撮影モード情報７９が静止画像モードである場合（Ｓ１０７のＹｅｓ）は、主制御部４１は、静止画像連写の撮影処理を行う（Ｓ１０９）。静止画像連写の撮影処理とは、静止画の撮影処理を一定時刻(例えば２０秒)毎に連続して行う処理である。また、自動撮影モード情報７９が静止画像モードでない場合（Ｓ１０７のＮｏ）、すなわち自動撮影モード情報７９が動画像である場合、主制御部４１は、動画像の撮影処理を行う（Ｓ１１１）。なお、静止画像連写の撮影回数、動画像の撮影時間は、予め設定されている。
【００６４】
主制御部４１は、静止画像連写の撮影処理（Ｓ１０９）または動画像の撮影処理（Ｓ１１１）を終えると、この画像データを未送信ステータスとして第２記憶部５５に記憶する（Ｓ１１３）。なお、この画像データは第２記憶部５５に記憶されるので、携帯電話機１の操作キー２４を用いた通常の処理では、ユーザはこの画像データにアクセスすることができない。
【００６５】
種制御部４１は、電源回路部４３に接続されているバッテリパック等の電源の電池残量が所定値以上であるか否かを判断する（Ｓ１１５）。この所定値は、記憶部４２に予め記憶されている。電池残量が所定値以上であった場合（Ｓ１１５のＹｅｓ）は、種制御部４１は、所定時間を通常用に設定する（Ｓ１１７）。この所定時間とは、防犯データ送信処理において定期的に防犯データを複数回送信する際の一定の時間間隔を示す。
【００６６】
電池残量が所定値以上でなかった場合（Ｓ１１５のＮｏ）は、種制御部４１は、所定時間を、低電圧用に設定する（Ｓ１１９）。低電圧用の所定時間は、通常用の所定時間よりも長い時間間隔であり、緊急時に電池がなくならないために、防犯データ送信処理において防犯データを送信する頻度を少なくして省エネを行うための設定である。
【００６７】
そして、種制御部４１は、定期的に防犯データを送信する防犯データ送信処理を行う（Ｓ１２１）。以下、この携帯電話機１による防犯データ送信処理について、図７のフローチャートに基づいて、説明する。
【００６８】
始めに主制御部４１は、Ｓ１１７またはＳ１１９で設定された所定時間が経過したか否かを判断する（Ｓ２０１）。所定時間が経過していない場合（Ｓ２０１のＮｏ）は、主制御部４１は、所定時間が経過するまで待機する。
【００６９】
所定時間が経過した場合（Ｓ２０１のＹｅｓ）は、主制御部４１は、防犯情報７０において、録音機能設定情報７４が「Ｏｎ」になっているか否かを判断する（Ｓ２０３）。録音機能設定情報７４が「Ｏｎ」になっている場合（Ｓ２０３のＹｅｓ）は、主制御部４１は、録音処理を実行する（Ｓ２０５）。この際、また主制御部４１は、この録音データを未送信ステータスとして、第２記憶部５５に記憶する（Ｓ２０７）。
【００７０】
録音機能設定情報７４が「Ｏｎ」になっていない場合（Ｓ２０３のＮｏ）またはＳ２０７の処理が終了した場合、主制御部４１は、防犯情報７０の静止画像撮影機能設定情報７５が「Ｏｎ」になっているか否かを判断する（Ｓ２０９）。静止画像撮影機能設定情報７５が「Ｏｎ」になっている場合（Ｓ２０９のＹｅｓ）は、主制御部４１は、防犯情報７０のカメラ設定情報７３が「メイン」になっているか「サブ」になっているかを判断する（Ｓ２１１）。なお、「メイン」になっているか「サブ」になっているかは、携帯電話機１が閉じられている時は「メイン」、閉じられている時は「サブ」などといったように携帯電話機１の筐体の状態に応じて自動に変更してもよい。
【００７１】
カメラ設定情報７３が「メイン」になっている場合（Ｓ２１１のメイン）は、主制御部４１は、メインカメラ３０により、静止画像撮影処理を実行する（Ｓ２１３）。また、カメラ設定情報７３が「サブ」になっている場合（Ｓ２１１のサブ）は、主制御部４１は、サブカメラ３０ａにより、静止画像撮影処理を実行する（Ｓ２１５）。この際、静止画像が連写機能を用いて連続で複数回撮影しても良い。そして、主制御部４１は、Ｓ２１３またはＳ２１５で撮影された画像データを第２記憶部５５に記憶する（Ｓ２１７）。
【００７２】
静止画像撮影機能情報７５が「Ｏｎ」になっていない場合（Ｓ２０９のＮｏ）またはＳ２１７の処理が終了した場合は、主制御部４１は、動画像撮影機能設定情報７６が「Ｏｎ」であるか否かを判断する（Ｓ２１９）。動画像撮影機能設定情報７６が「Ｏｎ」である場合（Ｓ２１９のＹｅｓ）は、主制御部４１は、防犯情報のカメラ設定情報７３が「メイン」になっているか「サブ」になっているかを判断する（Ｓ２２１）。
【００７３】
カメラ設定情報７３が「メイン」になっている場合（Ｓ２２１のメイン）は、主制御部４１は、メインカメラ３０により、動画像撮影処理を実行する（Ｓ２２３）。また、カメラ設定情報７３が「サブ」になっている場合（Ｓ２２１のサブ）は、主制御部４１は、サブカメラ３０ａにより、動画像撮影処理を実行する（Ｓ２２５）。そして、主制御部４１は、Ｓ２２３またはＳ２２５で撮影された画像データを第２記憶部５５に記憶する（Ｓ２２７）。
【００７４】
動画像撮影機能情報７６が「Ｏｎ」になっていない場合（Ｓ２１９のＮｏ）またはＳ２２７の処理が終了した場合は、主制御部４１は、音声通話機能設定情報７７が「Ｏｎ」であるか否かを判断する（Ｓ２２９）音声通話機能設定情報７７が「Ｏｎ」である場合（Ｓ２２９のＹｅｓ）は、主制御部４１は、未送信録音データがあるか否かを判断する（Ｓ２３１）。未送信録音データは、Ｓ２０７で録音された録音データであるが、その他、緊急時のために予め録音された録音データや緊急時に急遽録音された録音データがある場合は、これらを未送信録音データとしても良い。
【００７５】
未送信録音データがある場合（Ｓ２３１のＮｏ）は、主制御部４１は、防犯情報７０の音声通話送信先情報７１として記憶されている電話番号に対して音声発信を行い、この未送信録音データを音声として送信する音声通話処理を行う（Ｓ２３３）。また主制御部４１は、Ｓ２３３の音声通話処理における未送信録音データの音声送信に成功したか否かを判断する（Ｓ２３５）。未送信録音データの音声送信に成功した場合（Ｓ２３５のＹｅｓ）は、主制御部４１は、Ｓ２３３にて送信された録音データを未送信ステータスから送信済ステータスに変更する（Ｓ２３７）。また、携帯電話機１が通話圏外にある等により、未送信録音データの音声送信に失敗した場合（Ｓ２３５のＮｏ）は、Ｓ２３７の録音データのステータス変更処理を行わない。
【００７６】
そして、主制御部４１は、防犯情報７０のメール送信先情報７２として登録されているメールアドレスに対して、未送信ステータスのデータを添付情報としたメールを送信する（Ｓ２３９）。この未送信ステータスのデータは、Ｓ２１７、Ｓ２２７で撮影された画像データのうちの、未送信ステータスに設定されている画像データである。
【００７７】
主制御部４１は、Ｓ２３９のデータのメール送信に成功したか否かを判断する（Ｓ２４１）。データのメール送信に成功した場合（Ｓ２４１のＹｅｓ）は、主制御部４１は、Ｓ２３９にて送信されたデータを未送信ステータスから送信済ステータスに変更する（Ｓ２４３）。また、携帯電話機１が通話圏外にある等により、データのメール送信に失敗した場合（Ｓ２４１のＮｏ）は、Ｓ２４３のデータのステータス変更処理を行わない。
【００７８】
主制御部４１は、防犯モードが設定されているか否かを判断する（Ｓ２４５）。防犯モードが設定されている場合（Ｓ２４５のＹｅｓ）は、Ｓ２０１に戻り、再びＳ２０１からＳ２４５までの処理を行う。また、ユーザにより防犯モードが解除される等により、防犯モードが設定されていない場合（Ｓ２４５のＮｏ）は、主制御部４１は、防犯データ送信処理を終了する。
【００７９】
なお、Ｓ２３９に添付するデータに、Ｓ２３３の音声送信に失敗した録音データを添付しても良い。
【００８０】
また、Ｓ２３９にて第２記憶部５５に記憶されたデータの送信処理を行った際には、送信履歴情報等、データの存在を示唆するような情報は、携帯電話機１においては一切表示されない。
【００８１】
また、携帯電話機１は、緊急時に危険を知らせるための音声を即座に録音する緊急通話処理を行う機能を備えている。携帯電話機１による緊急録音処理の手順を、図８に示すフローチャートに基づいて説明する。
【００８２】
主制御部４１は、通話ボタンが押されたか否かを判断する（Ｓ３０１）。通話ボタンが押されていない場合（Ｓ３０１のＮｏ）は、主制御部４１はそのまま待機する。通話ボタンが押された場合（Ｓ３０１のＹｅｓ）は、主制御部４１は、通話圏外であるか否かを判断する（Ｓ３０３）。通話圏外でなかった場合（Ｓ３０３のＮｏ）、すなわち通話圏内であった場合は、主制御部４１は、通常の音声通話処理を実行する（Ｓ３０５）。
【００８３】
通話圏外であった場合（Ｓ３０３のＹｅｓ）には、主制御部４１は、防犯モードに設定されているか否かを判断する（Ｓ３０７）。防犯モードに設定されていない場合（Ｓ３０７のＮｏ）は、主制御部４１は音声通話処理を行わずに終了する。
【００８４】
防犯モードに設定されている場合（Ｓ３０７のＹｅｓ）は、主制御部４１は、録音処理（撮像処理）を実行する（Ｓ３０９）。そして、主制御部４１は、Ｓ３０９で録音された録音データ（撮像された画像データ）を未送信ステータスとして第２記憶部５５に記憶する（Ｓ３１１）。
【００８５】
このＳ３１１で記憶された録音データ（画像データ）は、Ｓ２３３にて未送信ステータスの録音データを音声として送信する際、またはＳ２３９にて未送信ステータスのデータをメールに添付して送信する際に、一緒に送信される。
【００８６】
この緊急録音処理により、緊急時において携帯電話機１が通話圏外である場合等においても、ユーザによるメッセージが即座に録音され、このメッセージを送信することが可能となる。
【００８７】
なお、ステップＳ１０３の処理が防犯モード設定手段であり、ステップＳ２０５、Ｓ３０９の処理が録音処理であり、ステップＳ２１３、Ｓ２１５、Ｓ２２３、Ｓ２２５の処理が撮像手段であり、ステップＳ２０７、Ｓ２１７、Ｓ２２７、Ｓ３１１の処理が記憶手段であり、ステップＳ２３３、Ｓ２３９の処理が送信手段であり、ステップＳ２３７、Ｓ２４３の処理が切り替え手段であり、ステップＳ１１７、Ｓ１１９が所定時間設定手段である。
【００８８】
本実施形態では、撮影モードとして静止画像連写撮影、動画像撮影の２種類のモードのうちのいずれかを選択する例を説明したが、静止画像連写撮影、動画像撮影を交互に行うモードが選択されても良い。
【００８９】
また、本実施形態において、防犯処理を行っている最中に、ユーザにより防犯情報７０が書き換えられた際には、書き換えられた防犯情報７０に基づいて防犯処理を継続する。
【００９０】
本発明に係る携帯電話機１によると、防犯機能が起動された際に、所定時間毎の録音処理や撮像処理を行って、特定の処理が行われるまで内部データが隠蔽される記憶領域（第２記憶部５５）に記憶し、この録音データや画像データを所定時間毎に送信することにより、この防犯機能の起動を隠蔽しつつ、定期的に録音処理や撮像処理を行って、逐次最新の録音データや画像データを送信することが可能となる。
【００９１】
なお、本発明に係る携帯電話機１として携帯電話機型の携帯電話機１について説明したいが、これに限らず、ＰＤＡ（Ｐｅｒｓｏｎａｌ  Ｄｉｇｉｔａｌ  Ａｓｓｉｓｔａｎｔ）、パーソナルコンピュータ、その他の情報処理装置にも適用することができる。
【００９２】
また、本発明の実施形態において説明した一連の処理は、ソフトウェアにより実行させることもできるが、ハードウェアにより実行させることもできる。
【００９３】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００９４】
【図１】本発明に係る携帯電話機が適用されるネットワークシステムの構成図。
【図２】本発明に係る携帯電話機の外観図。
【図３】本発明に係る携帯電話機の外観図。
【図４】本発明に係る携帯電話機の機能構成図。
【図５】防犯情報のデータ構造を示す図。
【図６】本発明に係る携帯電話機が防犯処理を行う手順を示すフローチャート。
【図７】携帯電話機が防犯データ送信処理を行う手順を示すフローチャート。
【図８】携帯電話機が緊急録音処理を行う手順を示すフローチャート。
【符号の説明】
【００９５】
１、１Ａ、１Ｂ  携帯電話機
２  ネットワークシステム
３  基地局
４  公衆回線網
５  アクセスサーバ
６  ネットワーク
７  情報処理装置
８  無線ＬＡＮネットワーク
９  アクセスポイント
２１  ヒンジ部
２２  第１の筐体
２３  第２の筐体
２４  操作キー
２５  メインディスプレイ
２６  マイクロフォン
２７  サイドキー
２８  スピーカ
２９ａ、２９ｂ、２９ｃ、２９ｄ  磁気センサ
３０  メインカメラ
３０ａ  サブカメラ
３１  サブディスプレイ
３３  防犯キー
３３ａ  防犯キーガイド部
３３ｂ  ストラップ
４１  主制御部
４２  記憶部
４３  電源回路部
４４  操作入力制御部
４５  ＬＣＤ制御部
４６  カメラインターフェース
４７  画像エンコーダ
４８  音声コーディック
４９  変復調回路部
５０  多重化分離部
５１  画像デコーダ
５２  無線ＬＡＮモジュール
５３  記録再生部
５４  防犯制御部
５５  第２記憶部
５６  送受信回路部
５７  アンテナ
５８  メモリカード
Ｂ  バス
７０  防犯情報
７１  音声通話送信先情報
７２  メール送信先情報
７３  カメラ設定情報
７４  録音機能設定情報
７５  静止画像撮影機能設定情報
７６  動画撮影機能設定情報
７７  音声通話機能設定情報
７８  自動撮影機能設定情報
７９  児童撮影モード設定情報
【図１】
2008172446.tif 000003
【図２】
2008172446.tif 000004
【図３】
2008172446.tif 000005
【図４】
2008172446.tif 000006
【図５】
2008172446.tif 000007
【図６】
2008172446.tif 000008
【図７】
2008172446.tif 000009
【図８】
2008172446.tif 000010